(57)【特許請求の範囲】
【請求項１】
分岐ブレーカの負荷名称を表示した表示体と、該表示体の両端に取り付けられ、裏面に前記分岐ブレーカを被覆する配線オオイの取付穴に対向する一対の係止爪を突設し、前面に前記係止爪と連動する脱着用ツマミを一体に形成した固定片から成る負荷名称表示板を前記配線オオイに着脱自在に設けた分電盤において、前記分岐ブレーカが接続された主幹バーを支持する充電部支持台の左右側面から左右前方に先端が前記主幹バーより前に突出するように腕部を張設し、該腕部の先端に前記負荷名称表示板の係止爪が係止するための係合凹部を形成し、前記分岐ブレーカに電線結線する際に前記配線オオイから取り外した前記負荷名称表示板の係止爪を前記係合凹部に合わせて押し込むことで前記係止爪が前記係合凹部に係合して取り付け、前記脱着用ツマミを摘むことで前記係止爪が左右に拡がって係合凹部から取り外し、前記負荷名称表示板を前記充電部支持台に係脱可能にしたことを特徴とする分電盤。
【発明の詳細な説明】
【０００１】
【発明の属する技術分野】
本発明は、分電盤内に配設された分岐ブレーカの負荷名称を表示する負荷名称表示板を充電部支持台に取り付ける構造に関する。
【０００２】
【従来の技術】
従来、図６及び図７に示すように分電盤内に配設された分岐ブレーカ（図示せず）は配線オオイ１３で被覆されている。配線オオイ１３は分岐ブレーカに接続された負荷（図示せず）が判るように負荷名称を表示した負荷名称表示板１４が分岐ブレーカの近傍に設けられている。負荷名称表示板１４は負荷名称を表示した表示体１５と、表示体１５の両端に取り付けられ、裏面に配線オオイ１３に穿設した取付穴１３ａに対向する一対の係止爪１６ａを突設し、前面に係止爪１６ａと連動する脱着用ツマミ１６ｂを一体に形成した固定片１６とから成っている。分岐ブレーカに電線結線する際は誤結線を防止するために分岐ブレーカに接続された負荷が判るように配線オオイ１３から負荷名称表示板１４を取り外して分岐ブレーカ１２の近傍に取り付ける。このため、分岐ブレーカが接続される複数の主幹バー１８を支持するための充電部支持台１７は前面側に突出した突起部１７ａが形成され、負荷名称表示板１４の固定片１６に穿設した貫通穴１６ｃを挿通させて、負荷名称表示板１４を係止できるようになっている。
【０００３】
【発明が解決しようとする課題】
しかしながら、従来の分電盤は充電部支持台の突起部に負荷名称表示板の貫通穴を挿通させて引っ掛けるだけなので、作業時に分電盤が揺れたり、負荷名称表示板に少し触れただけでも脱落するという欠点があった。また、作業時に主幹バー等の充電部を負荷名称表示板で被覆して保護する場合、負荷名称表示板が脱落すると充電部が露出して危険であった。また、負荷名称表示板を配線オオイへ取り付ける方法と充電部支持台への取り付ける方法が異なるので取り付け方法が解りづらいという欠点があった。
【０００４】
そこで上記問題点に鑑み、本発明の目的は、負荷名称表示板を充電部支持台に確実に固定し、負荷名称表示板の取り付け方法が解りやすく、負荷名称表示板を充電部の保護として使用する場合、充電部を確実に被覆して安全に作業できる分電盤を提供することである。
【０００５】
【課題を解決するための手段】
上記目的を達成するために、分岐ブレーカの負荷名称を表示した表示体と、表示体の両端に取り付けられ、裏面に分岐ブレーカを被覆する配線オオイの取付穴に対向する一対の係止爪を突設し、前面に係止爪と連動する脱着用ツマミを一体に形成した固定片から成る負荷名称表示板を配線オオイに着脱自在に設けた分電盤において、分岐ブレーカが接続された主幹バーを支持する充電部支持台の左右側面から左右前方に先端が主幹バーより前に突出するように腕部を張設し、腕部の先端に負荷名称表示板の係止爪が係止するための係合凹部を形成し、分岐ブレーカに電線結線する際に配線オオイから取り外した負荷名称表示板の係止爪を係合凹部に合わせて押し込むことで係止爪が係合凹部に係合して取り付け、脱着用ツマミを摘むことで係止爪が左右に拡がって係合凹部から取り外し、負荷名称表示板を充電部支持台に係脱可能にしたことを特徴とする。
【０００６】
【発明の実施の形態】
主幹バーを支持する充電部支持台の左右側面から左右前方に先端が主幹バーより前に突出するように腕部を張設し、腕部の先端の外側方向に係合凹部を形成する。負荷名称表示板は裏面に一対の内側方向に突起が向いた係止爪を突設し、前面に係止爪と連動する脱着用ツマミを一体に形成した固定片を負荷名称が表示された表示体の両端に設けて形成され、充電部支持台の係合凹部に負荷名称表示板の係止爪を係合させて取り付ける。取り外すには脱着用ツマミを摘み、手前に引いて取り外す。
【０００７】
【実施例】
本発明に係る分電盤の一実施例を図１〜図５の添付図面に基づいて説明する。
【０００８】
分電盤１は、内部に配設した分岐ブレーカ２を配線オオイ３で被覆し、配線オオイ３には分岐ブレーカ２の近傍に負荷名称表示板４を取り付けるための複数の取付穴３ａが穿設されている。
【０００９】
負荷名称表示板４は分岐ブレーカ２に接続した負荷名称を表示した表示体５と、表示体５の両端に取り付けられ、裏面に配線オオイ３の取付穴３ａに対向する一対の内側方向に突起が向いた係止爪６ａを突設し、前面に係止爪６ａと連動する脱着用ツマミ６ｂを一体に形成した固定片６とから成っている。脱着用ツマミ６ｂを指で摘むと係止爪６ａが弾性変形して左右に拡がり、指の力を緩めると係止爪６ａが元の状態に復元するようになっている。
【００１０】
配線オオイ３に取り付けるには、負荷名称表示板４の係止爪６ａを配線オオイ３の取付穴３ａに挿入し、前面から押し込むことにより係止爪６ａが左右に拡がり、取付穴３ａに係合して取り付けることができる。また、配線オオイ３から取り外すには、脱着用ツマミ６ｂを内側に摘むことにより係止爪６ａが左右に拡がるので手前に引いて取り外すことができる。
【００１１】
分岐ブレーカ２に電線結線する際は分岐ブレーカ２に接続された負荷が判るように配線オオイ３から負荷名称表示板４を取り外して分岐ブレーカ２の近傍に配設された充電部支持台７に取り付ける。
【００１２】
充電部支持台７は分岐ブレーカ２が接続される複数の主幹バー８を互いに絶縁距離を確保して支持し、左右側面から左右前方に先端が主幹バー８より前に突出するように腕部７ａが張設されている。腕部７ａは先端の外側方向に係合凹部７ｂが形成されている。
【００１３】
負荷名称表示板４を充電部支持台７に取り付けるには、配線オオイ３に取り付ける方法と同様に、負荷名称表示板４の係止爪６ａを充電部支持台７の係合凹部７ｂに合わせて前面から押し込むことにより係止爪６ａが左右に拡がり、係合凹部７ｂに係合して取り付けることができる。また、充電部支持台７から取り外すには、脱着用ツマミ６ｂを内側に摘むことにより係止爪６ａが左右に拡がるので取り外すことができる。
【００１４】
【発明の効果】
以上説明したように分岐ブレーカの負荷名称を表示した表示体と、表示体の両端に取り付けられ、裏面に分岐ブレーカを被覆する配線オオイの取付穴に対向する一対の係止爪を突設し、前面に係止爪と連動する脱着用ツマミを一体に形成した固定片から成る負荷名称表示板を配線オオイに着脱自在に設けた分電盤において、分岐ブレーカが接続された主幹バーを支持する充電部支持台の左右側面から左右前方に先端が主幹バーより前に突出するように腕部を張設し、腕部の先端に負荷名称表示板の係止爪が係止するための係合凹部を形成し、分岐ブレーカに電線結線する際に配線オオイから取り外した負荷名称表示板の係止爪を係合凹部に合わせて押し込むことで係止爪が係合凹部に係合して取り付け、脱着用ツマミを摘むことで係止爪が左右に拡がって係合凹部から取り外し、負荷名称表示板を充電部支持台に係脱可能にしたことにより、負荷名称表示板を充電部支持台に確実に固定することができる。また、充電部支持台への取り付け方法と配線オオイへの取り付け方法が同じなので取り付け方法が解りやすく、負荷名称表示板を充電部の保護として使用する場合、充電部を確実に被覆して安全に作業することができる。また、従来のように負荷名称表示板の固定片に貫通穴がないのですっきりとしてデザイン性が良いという優れた効果がある。
【図面の簡単な説明】
【図１】本発明に係る分電盤の負荷名称表示板を配線オオイに取り付ける様子を示す要部斜視図である。
【図２】本発明に係る分電盤の負荷名称表示板を配線オオイに取り付けた様子を示す断面図である。
【図３】本発明に係る分電盤の負荷名称表示板を充電部支持台に取り付ける様子を示す要部斜視図である。
【図４】本発明に係る分電盤の負荷名称表示板を充電部支持台に取り付けた様子を示す要部斜視図である。
【図５】本発明に係る分電盤の負荷名称表示板を充電部支持台に取り付けた様子を示す底面図である。
【図６】従来の分電盤の負荷名称表示板を配線オオイに取り付ける様子を示す要部斜視図である。
【図７】従来の分電盤の負荷名称表示板を充電部支持台に取り付ける様子を示し、（ａ）は取り付け前、（ｂ）は取り付け後である。
【符号の説明】
３…配線オオイ
３ａ…取付穴
４…負荷名称表示板
５…表示体
６…固定片
６ａ…係止爪
６ｂ…脱着用ツマミ
７…充電部支持台
７ａ…腕部
７ｂ…係合凹部
【図１】
0004721583.tif 000002
【図２】
0004721583.tif 000003
【図３】
0004721583.tif 000004
【図４】
0004721583.tif 000005
【図５】
0004721583.tif 000006
【図６】
0004721583.tif 000007
【図７】
0004721583.tif 000008